(57)【要約】  本発明は、重炭酸塩成分及び酸性ナトリウム成分を添加しながら調製された透析液の重炭酸塩量及びナトリウム量をモニタする方法であって、  ａ．酸性ナトリウム成分を添加して導電率（ＬＦist,Na）を測定するステップと、  ｂ．重炭酸塩成分を添加し、重炭酸塩成分の添加による導電率の増加量（ΔＬＦist,Bic）を測定するステップと、  ｃ．重炭酸塩成分の添加による期待される導電率の増加量（ΔＬＦexp,Bic）を求めるステップと、  ｄ．測定された導電率の増加量（ΔＬＦist,Bic）が期待される導電率の増加量（ΔＬＦexp,Bic）の範囲内にあるかどうかをチェックするステップと、  ｅ．重炭酸塩成分及び酸性ナトリウム成分の添加後の期待される総導電率（ＬＦexp,D）を求めるステップと、  ｆ．重炭酸塩成分及び酸性ナトリウム成分の添加後の総導電率（ＬＦist,D）を測定するステップと、  ｇ．測定された総導電率（ＬＦist,D）が期待される総導電率（ＬＦexp,D）の範囲内にあるかどうかをチェックするステップと、を含み、ステップａ．による導電率の測定、ステップｂ．による導電率の増加量の測定、及びステップｆ．による総導電率の測定が同一の導電率測定セルによって行われる方法に関する。【選択図】図１
2019523102.tif 000002
【特許請求の範囲】
【請求項１】
重炭酸塩成分及び酸性ナトリウム成分を添加しながら調製された透析液の重炭酸塩量及びナトリウム量をモニタする方法であって、
ａ．前記酸性ナトリウム成分を添加して導電率（ＬＦist,Na）を測定するステップと、
ｂ．前記重炭酸塩成分を添加し、該重炭酸塩成分の添加による導電率の増加量（ΔＬＦist,Bic）を測定するステップと、
ｃ．前記重炭酸塩成分の添加による期待される導電率の増加量（ΔＬＦexp,Bic）を求めるステップと、
ｄ．前記測定された導電率の増加量（ΔＬＦist,Bic）が前記期待される導電率の増加量（ΔＬＦexp,Bic）の範囲内にあるかどうかをチェックするステップと、
ｅ．前記重炭酸塩成分及び前記酸性ナトリウム成分の添加後の期待される総導電率（ＬＦexp,D）を求めるステップと、
ｆ．前記重炭酸塩成分及び前記酸性ナトリウム成分の添加後の総導電率（ＬＦist,D）を測定するステップと、
ｇ．前記測定された総導電率（ＬＦist,D）が前記期待される総導電率（ＬＦexp,D）の範囲内にあるかどうかをチェックするステップと、
を含み、ステップａ．による前記導電率の前記測定、ステップｂ．による前記導電率の増加量の前記測定、及びステップｆ．による前記総導電率の前記測定は、同一の導電率測定セルによって行われる、
ことを特徴とする方法。
【請求項２】
前記酸性ナトリウム成分が最初に添加され、前記酸性ナトリウム成分の前記添加後の前記測定された導電率（ＬＦist,Na）をステップｆ．による前記測定された総導電率（ＬＦist.D）から減算することによって、ステップｂ．による前記導電率の増加量（ΔＬＦist,Na）の測定値が取得される、
請求項１に記載の方法。
【請求項３】
ステップｃ．による前記期待される導電率の増加量（ΔＬＦexp,Bic）は、前記重炭酸塩成分の物質から計算される、
請求項１又は２に記載の方法。
【請求項４】
ステップｄ．による前記期待される範囲は、前記期待される導電率の増加量（ΔＬＦexp,Bic）を２５％下回る値から前記期待される導電率の増加量（ΔＬＦexp,Bic）を２５％上回る値にまで及ぶ、
請求項１から３のうちの１項に記載の方法。
【請求項５】
ステップｅ．による前記期待される総導電率（ΔＬＦexp,D）は、前記酸性ナトリウム成分及び前記重炭酸塩成分の物質から計算される、
請求項１から４のうちの１項に記載の方法。
【請求項６】
前記期待される総導電率の範囲は、前記期待される総導電率（ΔＬＦexp,D）を５％下回る値から前記期待される総導電率（ΔＬＦexp,D）を５％上回る値にまで及ぶ、
請求項１から５のうちの１項に記載の方法。
【請求項７】
前記調製された透析液は、濃度の変化時に透析液の前記重炭酸塩量及び前記ナトリウム量をモニタするために透析機械のダイアライザから時々分離される、
請求項１から６のうちの１項に記載の方法。
【請求項８】
前記範囲を上回った時又は下回った時に、ユーザに対するアラーム及び／又は対応する情報の出力が生成される、
請求項１から７のうちの１項に記載の方法。
【請求項９】
前記ナトリウム量の範囲又は前記重炭酸塩量の範囲が上回られるか又は下回られるとすぐに、どちらが先に上回られたか又は下回られたかに応じて、アラームが引き起こされ及び／又は前記対応する情報の出力が行われる、
請求項８に記載の方法。
【請求項１０】
少なくとも２つの成分から透析液を調製するための調製装置であって、前記調製装置は、重炭酸塩成分を有する容器（「重炭酸塩容器」）と、酸性ナトリウム成分を有する容器（「ナトリウム容器」）とを有し、前記調製装置は、前記酸性ナトリウム成分の添加後の流体の導電率（ＬＦist,Na）を測定するための、好ましくは前記ナトリウム容器の下流に配置された導電率測定セルと、前記重炭酸塩を含む成分の添加による導電率の増加量（ΔＬＦist,Bic）を測定するための、好ましくは前記重炭酸塩容器の下流に配置された導電率測定セルと、前記酸性ナトリウム成分及び前記重炭酸塩成分を含む前記透析液の総導電率（ＬＦist,D）を測定するための、好ましくは前記ナトリウム容器及び前記重炭酸塩容器の下流に配置された導電率測定セルとを有し、前記調製装置は、前記重炭酸塩成分の前記添加による前記導電率の前記増加量（ΔＬＦist,Bic）が期待される導電率の増加量（ΔＬＦexp,Bic）の範囲内にあるかどうか、及び前記測定された総導電率（ＬＦist,D）が、期待される総導電率（ＬＦexp,D）の範囲内にあるかどうかをチェックするように構成されたチェックユニットを有し、前記挙げられた導電率測定セルは同一の導電率測定セルである、
ことを特徴とする調製装置。
【請求項１１】
前記調製装置は、前記範囲を上回ったこと又は下回ったことが検出された時にアラームを引き起こし、及び／又は情報を出力するように構成された、アラームユニット、及び／又はユーザに情報を出力するための出力ユニットを有する、
請求項１０に記載の調製装置。
【請求項１２】
前記調製装置は、前記重炭酸塩容器と連通する供給管路が開口するとともに前記ナトリウム容器と連通するさらなる供給管路が開口する主要管路を有し、及び／又は、前記主要管路は、水の、好ましくはＲＯ水の容器又は供給源と連通し、及び／又は、前記導電率測定セルは、前記供給管路の両開口部の下流に配置される、
請求項１０又は１１に記載の調製装置。
【請求項１３】
前記調製装置は、前記調製された透析液が透析機械のダイアライザの透析側を流れるように前記ダイアライザと流体連通することができ、前記調製装置は、前記調製された透析液を時々前記ダイアライザを迂回して誘導できるように前記ダイアライザの周囲に通じる迂回管路を有する、
請求項１０から１２のうちの１項に記載の調製装置。
【請求項１４】
請求項１０から１３のうちの１項に記載の調製装置を有する、
ことを特徴とする透析機械。
【発明の詳細な説明】
【技術分野】
【０００１】
本発明は、重炭酸塩成分及び酸性ナトリウム成分を添加しながら調製した透析液の重炭酸塩量及びナトリウム量をモニタする方法に関する。
【背景技術】
【０００２】
血液透析は、慢性腎不全の重要な治療法である。血液透析では、浄化すべき患者の血液がダイアライザの膜の一方側に沿って誘導される。膜の他方側には透析液が配置され、血液と透析液との間の濃度勾配に起因して血液から膜を横切って透析液中に物質が拡散する。治療中に患者から命に係わる物質が連続して引き出されるのを防ぐために、透析液にはこれらの物質を生理的濃度で提供する必要がある。これについては、電解質カルシウム、マグネシウム及びカリウムに加えて主にナトリウム及び重炭酸塩（炭酸水素塩）が極めて重要である。
【０００３】
先行技術からは、水を加えながら２つの濃縮物から必要な透析液を調製することが知られている。この点、一方の濃縮物は主にナトリウムを含み、他方の濃縮物は主に重炭酸塩を含む。
【０００４】
透析標準であるＩＥＣ  ６０６０１−２−１６（第３版及び第４版）では、透析液の誤った組成に起因する患者へのあらゆるリスクを防ぐ独立保護システムが必要とされている。
【０００５】
欧州特許第０，５９７，８１７号からは、透析液の調製装置を有する透析機械が知られている。この調製装置は、水源と連通する主要管路を有し、主要管路内には、ナトリウム濃縮物容器と連通する第１の供給管路と、重炭酸塩濃縮物容器と連通する第２の供給管路とが開口する。主要管路を流れる流体にポンプを介してこれらの濃縮物が混合されると、使用できる状態の透析液が得られる。主要管路内のナトリウムを含む濃縮物の開口部の下流には、導電率測定セルが配置される。主要管路内の重炭酸塩濃縮物の開口部の下流には、さらなる導電率測定セルが配置される。バランス室（ｂａｌａｎｃｉｎｇ  ｃｈａｍｂｅｒ）とダイアライザとの間には、第３の導電率測定セルが配置される。
【０００６】
このような透析機械には、設計が比較的複雑であるという不利な点がある。
【０００７】
独国特許出願公開第３４１６０５７号からは、主要管路内への濃縮物管路の開口部の下流に導電率測定セルが配置された透析機械が知られている。導電率測定セルは、ダイアライザに流入する透析液の導電率を特定するのに役立つ。このようにすると、確かに総導電率をチェックすることはできるが、独国特許出願公開第３４１６０５７号には、透析液の重炭酸塩量をモニタすることは示されていない。
【先行技術文献】
【特許文献】
【０００８】
【特許文献１】欧州特許第０５９７８１７号明細書
【特許文献２】独国特許出願公開第３４１６０５７号明細書
【非特許文献】
【０００９】
【非特許文献１】ＩＥＣ  ６０６０１−２−１６（第３版及び第４版）
【発明の概要】
【発明が解決しようとする課題】
【００１０】
本発明の根底にある目的は、最初に示した種類の方法を、透析液のナトリウム量及び重炭酸塩量のモニタリングをできる限り単純かつ確実に行えるようにさらに発展させることである。
【課題を解決するための手段】
【００１１】
この目的は、請求項１の特徴を有する方法によって達成される。
【００１２】
従って、この方法は、所与の（時間的）順序で実行することも、他のいずれかの可能な順序で実行することもできるステップとして、
ａ．酸性ナトリウム成分を添加して導電率（ＬＦist,Na）を測定するステップと、
ｂ．重炭酸塩成分を添加し、重炭酸塩成分の添加による導電率の増加量（ΔＬＦist,Bic）を測定するステップと、
ｃ．重炭酸塩成分の添加による期待される導電率の増加量（ΔＬＦexp,Bic）を求めるステップと、
ｄ．測定された導電率の増加量（ΔＬＦist,Bic）が期待される導電率の増加量（ΔＬＦexp,Bic）の範囲内にあるかどうかをチェックするステップと、
ｅ．重炭酸塩成分及び酸性ナトリウム成分の添加後の期待される総導電率（ＬＦexp,D）を求めるステップと、
ｆ．重炭酸塩成分及び酸性ナトリウム成分の添加後の総導電率（ＬＦist,D）を測定するステップと、
ｇ．測定された総導電率（ＬＦist,D）が期待される総導電率（ＬＦexp,D）の範囲内にあるかどうかをチェックするステップと、
を含み、ステップａ．による導電率の測定、ステップｂ．による導電率の増加量の測定、及びステップｆ．による総導電率の測定は、同一の導電率測定セルによって行われる。
【００１３】
本発明によれば、重炭酸塩成分の添加による期待される導電率の増加量を測定された導電率の増加量と比較し、このようにして透析液の重炭酸塩濃縮物が望ましい範囲内にあるかどうかを結論付ける。
【００１４】
ナトリウム濃度のモニタリングは、測定された総導電率、すなわち酸性ナトリウム成分の添加後の及び重炭酸塩成分の添加後の測定された透析液の導電率の比較に基づいて行われる。この比較に基づいて、ナトリウム濃度が望ましい範囲内にあるかどうかを結論付けることができる。
【００１５】
これらの導電率測定には単一の導電率センサが使用され、このことは既知の構成に対する単純化を意味する。この方法を使用すれば、単一の導電率センサを用いて重炭酸塩濃度とナトリウム濃度の両方をモニタすることが可能である。
【００１６】
パラメータは、透析液の総導電率、又はその経時的な変化である。本発明による方法は、例えば２つの独立した及び／又は異なる限界値窓によって、透析液の重炭酸塩及びナトリウムの偏差標準に必要とされる限界をモニタするために使用することができる。透析液は、成分（酸性ナトリウム成分及び重炭酸塩成分）を別個に計量供給（ｍｅｔｅｒｉｎｇ  ｉｎ）することによって得られることが好ましい。
【００１７】
「酸性ナトリウム成分（ａｃｉｄｉｃ  ｓｏｄｉｕｍ  ｃｏｍｐｏｎｅｎｔ）」という用語は、ナトリウムイオンを含む媒質、具体的にはナトリウムイオンと少なくとも１つの酸とを含む濃縮物のいずれかの望ましい構成を含む。ナトリウム成分は、Ｃａ、Ｍｇ、Ｃｌ、Ｋ及び任意にさらなる物質などのさらなる電解質を含むことが好ましい。ナトリウム成分が主にナトリウムイオンを含むようにすることが好ましい。
【００１８】
酸性ナトリウム成分は、完成した透析液中の主なナトリウム源であり、すなわち完成した透析液の主なナトリウム部分は酸性ナトリウム成分に由来することが好ましい。
【００１９】
「重炭酸塩成分（ｂｉｃａｒｂｏｎａｔｅ  ｃｏｍｐｏｎｅｎｔ）」という用語は、重炭酸イオンを含む媒質、具体的には重炭酸イオンを含む濃縮物のいずれかの望ましい構成を含む。重炭酸塩成分は、重炭酸塩に加えてＮａイオンなどの電解質を含むことが好ましい。重炭酸塩成分が主に重炭酸イオンを含むようにすることが好ましい。
【００２０】
重炭酸塩成分は、塩基性（ｂａｓｉｃ）であることが好ましい。
【００２１】
本発明の好ましい実施形態では、重炭酸塩成分が酸を含まない。
【００２２】
本発明の枠組みにおいて使用する「測定（ｍｅａｓｕｒｅｍｅｎｔ）」という用語は、例えば導電率などのパラメータの直接的な測定を含むとともに、２つの直接的に測定した導電率の値を減算することによって取得される値などの、測定の基になる値の直接的な測定も含む。
【００２３】
本発明の枠組みにおいて使用する「添加（ａｄｄｉｎｇ／ａｄｄｉｔｉｏｎ）」という用語は、ある成分を水などの別の成分に混合すること、及びこの成分を提示することを含む。従って、「酸性ナトリウム成分の添加」という表現は、例えばＲＯ水などの異なる成分の酸性ナトリウム成分を添加する場合と、この成分を提示する場合の両方、すなわちナトリウムを含む濃縮物とＲＯ水との混合として理解されたい。
【００２４】
本発明の考えられる実施形態では、酸性ナトリウム成分と水とを混合し、その一部を導電率測定セルに導いてこれらの導電率を測定する。次に、第２のステップにおいて重炭酸塩成分を添加して総導電率を求めることができる。測定された総導電率から（重炭酸塩成分を添加する前の）水と酸性ナトリウム成分との混合物の測定された導電率を減算することにより、重炭酸塩成分の添加による導電率の増加量の測定を行うことができる。
【００２５】
測定された導電率の増加量が特定の範囲から外れている場合には、重炭酸塩濃度が所望の重炭酸塩濃度に対応していないと結論付けることができる。
【００２６】
測定された総導電率が特定の範囲から外れている場合には、ナトリウム濃度が所望のナトリウム濃度に対応していないと結論付けることができる。透析液の総導電率は、主にナトリウム濃度の変化の影響を受けやすい。
【００２７】
このように、単一の導電率センサによって重炭酸イオンの量とナトリウムイオンの量の両方を恒久的に、又は透析液の調製中の合間にモニタすることができる。
【００２８】
上述したように、この方法の考えられる変形例は、最初に酸性ナトリウム成分を添加し、測定された総導電率から酸性ナトリウム成分の添加後の測定された導電率を減算することにより、ステップｂ．による重炭酸塩成分の添加による測定された導電率の増加量を取得することを含む。
【００２９】
ステップｃ．による期待される導電率の増加量、すなわち重炭酸塩成分の添加による期待される導電率の増加量は、重炭酸塩成分の物質から計算することができる。
【００３０】
本発明では、重炭酸塩濃度及びナトリウム濃度を測定することが可能であり、濃度が望ましい範囲内にあるかどうかをチェックするために、同じ又は異なるサイズの限界値範囲を定義することができる。
【００３１】
例えば、期待される重炭酸塩濃度の範囲は、期待される導電率の増加量を２５％下回る値から期待される導電率の増加量を２５％上回る値にまで及ぶと考えられる。従って、重炭酸塩の目標値範囲は、期待値から開始して上方及び下方に２５％広がる。
【００３２】
ナトリウム濃度では、期待される範囲が、例えば期待される総導電率の値を５％下回る値から５％上回る値にまで及ぶことができる。
【００３３】
本発明では、一般に他の範囲限界も考えられ、これらも対象範囲とする。
【００３４】
期待される総導電率が酸性ナトリウム成分の物質及び重炭酸塩成分の物質から計算されるようにすることが好ましい。
【００３５】
患者が透析機械に接続されている間に濃度を変更できるようにするために、濃度の変化時に透析液の重炭酸塩量及びナトリウム量をモニタできるように、調製された透析液が時々透析機械のダイアライザから分離されるようにすることができる。従って、患者が影響を受けることなく透析液の「較正」を行うことができる。
【００３６】
それぞれの範囲が上回られている場合又は下回られている場合には、アラームを出力し、及び／又は所望の濃度が目標値範囲外にある旨の対応する情報をユーザに出力することができる。
【００３７】
これについては、ナトリウム量の範囲又は重炭酸塩量の範囲が上回られるか又は下回られるとすぐに、どちらが先に上回られたか又は下回られたかに応じてアラームが引き起こされ、及び／又は対応する情報の出力が行われると考えられる。従って、最初に残されたモニタリング窓は、アラーム又はその他の情報を出力する。
【００３８】
さらに、本発明は、本発明による方法を実行するのに適する、本発明による方法を実行するように設計された手段を有する透析機械、及び／又は透析液の調製装置にも関する。
【００３９】
少なくとも２つの成分から透析液を調製するための調製装置は、重炭酸塩成分を有する容器（「重炭酸塩容器」）と、酸性ナトリウム成分を有する容器（「ナトリウム容器」）とを含み、調製装置は、酸性ナトリウム成分の添加後の流体の導電率を測定するための、例えばナトリウム容器の下流に配置された導電率測定セルと、重炭酸塩成分の添加による導電率の増加量を測定するための、好ましくは重炭酸塩容器の下流に配置された導電率測定セルと、酸性ナトリウム成分及び重炭酸塩成分を含む透析液の総導電率を測定するための、好ましくはナトリウム容器及び重炭酸塩容器の下流に配置された導電率測定セルとを有する。透析機械は、重炭酸塩成分の添加による測定された導電率の増加量が期待される導電率の増加量の範囲内にあるかどうか、及び測定された総導電率が期待される総導電率の範囲内にあるかどうかをチェックするように構成されたチェックユニットをさらに有し、挙げられた導電率測定セルは同一の導電率測定セルである、
【００４０】
調製装置は、範囲を上回ったこと又は下回ったことが検出された時にアラームを引き起こし、及び／又は情報を出力するように構成された、アラームユニット、及び／又はユーザに情報を出力するための出力ユニットを有することが好ましい。
【００４１】
調製装置は、重炭酸塩容器と連通する供給管路が開口するとともにナトリウム容器と連通するさらなる供給管路が開口する主要管路を有することができる。この主要管路は、水の、好ましくはＲＯ水の、容器又は供給源と連通することができる。
【００４２】
重炭酸塩成分及び酸性ナトリウム成分は、主要管路を流れる流体、具体的にはＲＯ水に計量供給される。この目的のために、濃縮容器から主要管路内に成分を搬送するポンプを使用することができる。
【００４３】
本発明では、成分を含む容器への流入も考えられ、これも対象範囲とする。従って、透析液の調製は、例えば調製のために提供されるＲＯ水又は別の流体が重炭酸塩又はナトリウムを含む容器内を流れることによって、重炭酸塩又はナトリウムを含む溶液が調製されるように行うことができる。その後、例えば主要管路内に濃縮物を導入することによって、又は濃縮容器への流入によって、この溶液中に他方の成分を計量供給することができる。
【００４４】
導電率測定セルは、供給管路の両開口部の下流に、又は総導電率と重炭酸塩の添加による導電率の増加量とを両方とも測定できるように配置されることが好ましい。
【００４５】
調製装置は、透析機械のダイアライザを迂回して、調製された透析液を時々誘導する迂回管路を有することができる。上述したように、完成した透析液が正しく較正されて限界値窓が設定された時に、すなわち重炭酸塩量及びナトリウム量がいずれもそれぞれの望ましい範囲内にある時に、この透析液が治療のみのために使用されることをこのようにして保証することができる。
【００４６】
調製装置は、透析機械の一体部品を有することも、又は透析機械とは別個のユニットとして構成することもできる。
【００４７】
さらに、本発明は、本発明による少なくとも１つの調製装置を有する透析機械にも関する。
【００４８】
図面に示す実施形態を参照しながら本発明のさらなる詳細及び利点をさらに詳細に説明する。
【図面の簡単な説明】
【００４９】
【図１】単一の導電率測定セルを用いて２つの独立した限界値窓（範囲）によってナトリウム及び重炭酸塩をモニタする概略図である。
【発明を実施するための形態】
【００５０】
以下で説明する実施形態は、この目的で複数の導電率測定セルを使用する必要なく、２成分系における透析液の導電率測定によって必要な限界をさらにモニタする可能性を表す。ここで、本発明は正確に２つの成分を添加することに限定されず、２つよりも多くの成分を添加することもできる点を指摘しておかなければならない。
【００５１】
本発明によれば、重炭酸塩成分と酸性ナトリウム成分とを別個に計量供給することができる。この計量供給は、例えば水、好ましくはＲＯ水、或いはこれらの成分の一方と水又はＲＯ水との混合物から取得された溶液が流れる管路に対して行うことができる。
【００５２】
期待される総導電率、及び重炭酸塩成分を添加した後の期待される導電率の増加量は、それぞれの物質に基づいて、又は理論的に期待される透析液の導電率に基づいて計算される。
【００５３】
図１によれば、期待される導電率、すなわち完成した透析液の期待される総導電率ＬＦexp,Dは、後者の物質から数式を用いて計算される。
【００５４】
透析液を混合する動作システム、すなわち調製装置は、異なる公差の影響を受ける。この公差の連鎖（ｔｏｌｅｒａｎｃｅ  ｃｈａｉｎ）により、完成した透析液、すなわち酸性ナトリウム成分と重炭酸塩成分とを含む透析液の実際に測定された総導電率ＬＦist,Dが、理論的に計算された期待値ＬＦexp,Dから逸脱してしまうことがある。
【００５５】
図１の左側（「Ｎａモニタリング」）から分かるように、期待される総導電率ＬＦexp,Dは、酸性ナトリウム成分の期待される（公称）導電率ＬＦexp,Naと、重炭酸塩成分の期待される（公称）導電率ＬＦexp,Bicとで構成される。
【００５６】
図１の左側に示す５％の偏差について総導電率ＬＦexp,Dをモニタすることにより、計算された期待値ＬＦexp,Dに対する、すなわち目標値からの、ナトリウム濃度の５％偏差を求めることができる。従って、総導電率が取り得る範囲は合計で１０％になり、いずれの場合にも期待値から上方及び下方に５％広がる。
【００５７】
図１の右側（「Ｂｉｃモニタリング」）は、以下の構造を有する。
【００５８】
導電率ＬＦist,Naは、酸性ナトリウム成分を添加した後の溶液の測定された導電率である。
【００５９】
図１の右側のΔＬＦexp,Bicは、この溶液に重炭酸塩成分を添加することによる期待される導電率の増加量を表す。この量は、期待される総導電率ＬＦexp,Dと酸性ナトリウム成分の期待される導電率ＬＦexp,Naとの差分から計算される。
【００６０】
通常、重炭酸塩成分は、重炭酸塩に加えてナトリウムを含む。ナトリウムを含む酸性成分自体の影響、公差に影響される酸性ナトリウム成分の計量の影響、及び重炭酸塩成分の導電率の目標値の計算に使用される水の基本導電率などのさらなる干渉パラメータの影響を考慮する必要がないように、手順は以下の通りである。
【００６１】
第１のステップにおいて、酸性ナトリウム成分及び必要な水のみを計量供給し（計量１）、導電率測定セルを通過させる。これによって取得される導電率ＬＦist,Naは、動作システムの全ての公差を含み、依然として求める必要がある重炭酸塩のモニタリング限界のオフセットとしての役割を果たす。
【００６２】
第２のステップにおいて、全ての成分が存在して透析液が最初に完全に混合されるように重炭酸塩成分を添加する（計量２）。透析液の測定された総導電率ＬＦist,Dを採用する。測定された総導電率ＬＦist,Dから、既に求められているナトリウムを含む（重炭酸塩を含まない）透析液の導電率ＬＦist,Naを減算し、従って総導電率に対する重炭酸塩成分の実際の寄与ΔＬＦexp,Bicを測定する。
ΔＬＦist,Bic＝ＬＦist,D−ＬＦist,Na
【００６３】
測定された総導電率ＬＦist,Dから、ステップ１で求めた（水及び公差を含む）酸性ナトリウム成分のオフセットを計算によって除外し、このようにして導電率に対する重炭酸塩成分の寄与を求める。
【００６４】
モニタリング限界は、重炭酸塩成分の添加による理論的に期待される導電率の増加量ΔＬＦexp,Bic（目標値）から計算することができ、従って必要な目標値に関連することができる。図１の右側による実施形態では、モニタリング限界が、ΔＬＦexp,Bicを２５％下回る値からΔＬＦexp,Bicを２５％上回る値にまで及び、すなわち重炭酸塩溶液の添加による導電率の許容増加量は、ΔＬＦexp,Bic＊０．７５からΔＬＦexp,Bic＊１．２５までの間隔内に存在する。
【００６５】
総導電率の限界値を考慮すると、これによってナトリウム及び重炭酸塩についての２つの独立したモニタリング窓がもたらされ、これらは標準要件に従って目標値からのそれぞれの濃度偏差を検出することができる。
【００６６】
２チャネル設計を確実にするために、期待値の全ての理論的計算は、透析機械の動作システムとは無関係な保護システムによって行われるようにすることが好ましい。
【００６７】
本発明による手順を使用すれば、ナトリウム濃度及び／又は重炭酸塩濃度の変化などの治療中における濃度の変化を考慮することができる。例えば迂回中に、すなわち調製装置を透析機械の水域（ｗａｔｅｒ  ｐａｒｔ）から流体的に分離している最中に、システムの反復較正、すなわち対応して変化する濃度値を有する透析液の反復調製を行うこともできる。特定の状況下では、濃度の変化時に反復較正を行わずにモニタリング窓の新たな理論的計算を行うことも考えられる。
【００６８】
濃度の変化時又はキャニスタ交換（ｃａｎｉｓｔｅｒ  ｃｈａｎｇｅ）時には、再び第１の変形例による方法を実行する必要がある。多少大きな不確実性を受け入れることができる場合には、濃度の変化時又はキャニスタ交換時に第２の変形例による重炭酸塩限界窓の新たな理論的計算が可能である。ナトリウム限界窓は、いつでも再計算することができる。さらに、ナトリウム濃度も常に再測定することができる。
【００６９】
単一の導電率測定セルによってナトリウム濃度と重炭酸塩濃度とを同時にモニタするので、酸性ナトリウム成分の計量供給において突然の誤差が生じると、重炭酸塩モニタリング窓が取り残されているという理由でアラームが引き起こされることがある。通常動作時に透析液の総導電率を測定する単一の導電率測定セルは、どの成分から誤差が生じたかを区別できないため、最初に残されたモニタリング窓がアラームを引き起こす。このことは、例えば成分を搬送するポンプの計量誤差が逆方向に起こることもあるというリスク管理を用いて排除することができる。これによって、特定の状況下における導電率の誤差を相互に相殺することができる。リスク管理の視点から複数の誤差が排除される。
【００７０】
「導電率（ｃｏｎｄｕｃｔｉｖｉｔｙ）」という用語は、ナトリウム及び重炭酸塩の導電率又は量と相関する全てのパラメータを含む点を指摘しておかなければならない。従って、「導電率測定セル（ｃｏｎｄｕｃｔｉｖｉｔｙ  ｍｅａｓｕｒｅｍｅｎｔ  ｃｅｌｌ）」という用語は、導電率又はそれと相関する、又はナトリウム及び重炭酸塩の量と相関するパラメータを測定できる全てのセンサを含む。
【００７１】
この方法では、通常動作中に透析機械の流体システム（ｈｙｄｒａｕｌｉｃ  ｓｙｓｔｅｍ）において酸性ナトリウム成分及び重炭酸塩成分を添加する局所的順序は問題ではない。
【００７２】
一般に、本発明による方法のステップの全部又は一部は、連続して、及び／又は複数回、及び／又は繰り返し、及び／又は定期的に実行できる点を指摘しておく。
【図１】
2019523102.tif 000003
【国際調査報告】
2019523102.tif 000004
2019523102.tif 000005
2019523102.tif 000006
2019523102.tif 000007